(57)【要約】【課題】記録媒体を透過したインクによって記録媒体が汚れてしまうことが抑制された記録装置を提供する。【解決手段】記録装置は、記録媒体を支持する支持面を有する支持部２３と、支持面に支持される記録媒体にインクを付与することにより印刷を行う印刷部と、を備え、支持部２３は、支持面を構成し記録媒体を透過するインクが通過する複数の通過孔を有するメッシュ板２３１と、メッシュ板２３１から通過したインクを保持する吸収部材２３２と、メッシュ板２３１を保持する保持部材２３３と、を備え、吸収部材２３２は、メッシュ板２３１および／または保持部材２３３によって保持され、メッシュ板２３１と保持部材２３３とが固定された状態で着脱可能に設けられる。【選択図】図３
2020175509.tif 000002
【特許請求の範囲】
【請求項１】
記録媒体を支持する支持面を有する支持部と、
前記支持面に支持される前記記録媒体に液体を付与することにより記録を行う記録部と、を備え、
前記支持部は、
前記支持面を構成し前記記録媒体を透過する前記液体が通過する複数の通過孔を有する第１部材と、
前記第１部材から通過した前記液体を保持する第２部材と、
前記第１部材を保持する第３部材と、を備え、
前記第２部材は、
前記第１部材および／または前記第３部材によって保持され、
前記第１部材と前記第３部材とが固定された状態で着脱可能に設けられることを特徴とする記録装置。
【請求項２】
前記第２部材は、前記通過孔を通過した前記液体を吸収する吸収部材であることを特徴とする請求項１に記載の記録装置。
【請求項３】
前記第２部材は、前記通過孔を通過した前記液体を回収する回収部を備えることを特徴とする請求項１に記載の記録装置。
【請求項４】
前記第１部材は、前記支持面を構成する網部を備えていることを特徴とする請求項１から請求項３のいずれか一項に記載の記録装置。
【請求項５】
前記第３部材は、前記第２部材の側面および下面と接触することで前記第２部材を支持することを特徴とする請求項１から請求項４のいずれか一項に記載の記録装置。
【発明の詳細な説明】
【技術分野】
【０００１】
本発明は、記録媒体に液体を付与することにより記録を行う記録装置に関する。
【背景技術】
【０００２】
従来、例えば、特許文献１に記載されているように、布帛に印刷を行う布帛印刷装置が知られている。この布帛印刷装置は、布帛を下方から支持する支持面を有する支持部と、支持面上の布帛にインクを吐出するインク吐出部とを備えており、支持部は、支持面の中央領域における布帛に対する静止摩擦係数が、支持面の少なくとも一方向における両端部近傍領域の布帛に対する静止摩擦係数よりも大きい部分を有することを特徴としている。具体的には、支持面の中央領域における布帛に対する静止摩擦係数が、支持面の少なくとも一方向における両端部近傍領域の布帛に対する静止摩擦係数よりも大きい部分を設けるために、支持面の両端部近傍領域を除いた領域に、例えば、滑り止めの布シートなどのシート状部材が貼られている。
【０００３】
この布帛印刷装置によれば、布帛を支持部に設置した際に、支持面の中央領域の布帛に対して大きな静止摩擦力が働く部分があるので、この摩擦力によって布帛が保持される。粘着力による保持と異なり単に摩擦力による保持なので、手で軽く布帛の表面を撫でて皺を伸ばすだけで布帛の凹凸が除去され、この状態で摩擦力により布帛の平面度が保持される。これにより、布帛の取付け、位置合わせ、および取外しが容易となり、作業性を大幅に向上させることができるとしている。
【先行技術文献】
【特許文献】
【０００４】
【特許文献１】特開２００４−２９１４３０号公報
【発明の概要】
【発明が解決しようとする課題】
【０００５】
しかしながら、特許文献１に記載の布帛印刷装置では、ポリエステル生地などインク吸収性が低く、また織り目の粗い布帛に印刷を行うと、布帛に吸収されずに布帛を透過したインクにより、支持面や支持面に貼られた滑り止めの布シートなどのシート状部材が汚れてしまい、引き続く印刷において布帛を汚してしまう場合があるという課題があった。
【課題を解決するための手段】
【０００６】
本願の記録装置は、記録媒体を支持する支持面を有する支持部と、前記支持面に支持される前記記録媒体に液体を付与することにより記録を行う記録部と、を備え、前記支持部は、前記支持面を構成し前記記録媒体を透過する前記液体が通過する複数の通過孔を有する第１部材と、前記第１部材から通過した前記液体を保持する第２部材と、前記第１部材を保持する第３部材と、を備え、前記第２部材は、前記第１部材および／または前記第３部材によって保持され、前記第１部材と前記第３部材とが固定された状態で着脱可能に設けられることを特徴とする。
【０００７】
上記の記録装置において、前記第２部材は、前記通過孔を通過した前記液体を吸収する吸収部材であることが好ましい。
【０００８】
上記の記録装置において、前記第２部材は、前記通過孔を通過した前記液体を回収する回収部を備えることが好ましい。
【０００９】
上記の記録装置において、前記第１部材は、前記支持面を構成する網部を備えていることが好ましい。
【００１０】
上記の記録装置において、前記第３部材は、前記第２部材の側面および下面と接触することで前記第２部材を支持することが好ましい。
【図面の簡単な説明】
【００１１】
【図１】実施形態１に係る記録装置としてのプリンターの斜視図である。
【図２】プリンターの内部構成を示す側面図である。
【図３】支持部の構成を示す斜視図である。
【図４】変形例１に係る支持部の構成を示す斜視図である。
【発明を実施するための形態】
【００１２】
以下に本願の発明を具体化した実施形態について、図面を参照して説明する。以下は、本願の発明の一実施形態であって、本願の発明を限定するものではない。なお、以下の各図においては、説明を分かりやすくするため、実際とは異なる尺度で記載している場合がある。また、図面に付記する座標においては、Ｚ軸方向が鉛直方向、＋Ｚ方向が上方向、Ｙ軸方向が前後方向、＋Ｙ方向が手前方向、Ｘ軸方向が左右方向、＋Ｘ方向が左方向、Ｘ−Ｙ平面が水平面としている。
【００１３】
（実施形態１）
図１は、実施形態１に係る記録装置としてのプリンター１００の斜視図、図２は、プリンター１００の内部構成を示す側面図である。
プリンター１００は、例えば図１に示すＴシャツなどの布帛１にインクを吐出して所望の画像を印刷するインクジェット式の捺染装置である。
ここで、布帛１は、本願における記録媒体であり、インクは、本願における液体である。また、印刷は、本願における記録の一形態である。
プリンター１００が行う印刷は、例えば、プリンター１００に接続されたパーソナルコンピューターやデジタルカメラなどの画像データ取得機器から受信する画像データに基づいて行われる。
プリンター１００は、布帛１に印刷を行う記録部としての印刷部１０、装置内において布帛１を搬送する搬送部２０、プリンター１００を操作するための操作部４０、プリンター１００の全体の動作を制御する制御部６０などを備えている。
【００１４】
印刷部１０は、布帛１の搬送方向であるＹ軸方向と交差するＸ軸方向に延びるガイド軸１１と、ガイド軸１１に摺接可能な状態で支持されたキャリッジ１２と、キャリッジ１２に保持され、インクを吐出する複数のノズルを有する印刷ヘッド１３と、キャリッジ１２をガイド軸１１の長手方向に沿って往復移動させる際の駆動源となるキャリッジモーターなどを備えている。なお、キャリッジモーターについては図示を省略している。
【００１５】
プリンター１００は、布帛１を搬送方向に移動させる搬送動作と、印刷ヘッド１３を布帛１の搬送方向と交差するＸ軸方向に走査移動させながら各ノズルからインク滴を吐出するドット形成動作とを交互に繰り返し、Ｘ軸方向に並ぶドットの列を搬送方向に並べて形成することで、布帛１上に画像の形成を行う。
【００１６】
印刷ヘッド１３は、インクの一例であるシアンインクＣ、マゼンタインクＭ、イエローインクＹ、黒色インクＫ、および下地形成用の白色インクＷを、制御部６０の制御に基づいて布帛１に吐出することで布帛１に印刷を行う。下地形成用の白色インクＷは、布帛１の色の影響を受けずに所望の発色の画像を形成する領域に対し、その下地を形成するために用いる。なお、白色インクＷは、白色の画像を形成する際にも、画像形成インクとして使用される。
それぞれのインクは、インクカートリッジ３からチューブなどを介して印刷ヘッド１３に供給される。また、画像には、文字、図形および記号などを含んでいる。
【００１７】
搬送部２０は、プリンター１００の前後方向、つまりＹ軸方向に延出するベース部２１と、ベース部２１の内部でＹ軸方向に延びる搬送レール２２と、布帛１を支持する支持部２３と、搬送レール２２に沿って支持部２３をＹ軸方向に沿って移動させる際の駆動源となる搬送モーター２４などを備えている。
操作部４０は、ヒューマンインターフェイスとしての表示部や入力部を備えるタッチパネルであり、制御部６０に対する指示や、プリンター１００の操作に必要な情報の表示などを行う。
【００１８】
制御部６０は、プリンター１００全体の制御を行う演算処理部を備え、予め備えられたプログラムや、操作部４０からの指示に基づき、プリンター１００に接続された画像データ取得機器からの画像データの受信、受信した画像データに基づく印刷データの生成、印刷データに従った印刷ヘッド１３、キャリッジモーターおよび搬送モーター２４の駆動制御などを行う。
【００１９】
印刷データは、プリンター１００を駆動可能な、例えば、ＣＭＹＫＷ形式のデータであり、画像データ取得機器から受信した一般的なＲＧＢ形式の画像データに基づき生成される。ＣＭＹＫＷ形式の印刷データは、画像を形成する画素ごとに、シアンインクＣの使用量に応じた階調値、マゼンタインクＭの使用量に応じた階調値、イエローインクＹの使用量に応じた階調値、黒色インクＫの使用量に応じた階調値、および白色インクＷの使用量に応じた階調値を有している。
つまり、印刷データには、布帛１に対する画像の印刷領域の情報と、その印刷領域内における画素毎のインクの吐出量の情報が含まれている。
なお、印刷データの生成は、制御部６０で行うのではなく、例えば、プリンター１００に接続されたパーソナルコンピューターで生成し、プリンター１００に送信する方法であっても良い。
【００２０】
図３は、支持部２３の構成を示す斜視図である。
支持部２３は、第１部材としてのメッシュ板２３１、第２部材としての吸収部材２３２、第３部材としての保持部材２３３、保持部材２３３を搬送レール２２に沿って移動可能に支持する支持台２３４などから構成されている。支持台２３４は、図２に示している。
布帛１は、印刷に先立ち、支持部２３に載置され、布帛１の周辺を押さえる枠２３５によって支持部２３に保持される。
【００２１】
メッシュ板２３１は、布帛１を支持する支持面を構成する網部としての網部材２３１Ｍおよび網部材２３１Ｍを板状に支持するフレーム２３１Ｆにより構成されている。
網部材２３１Ｍは、インクを吸収せず、表面に撥水性を持たせた金属材料あるいは樹脂材料により構成された網である。
すなわち、メッシュ板２３１は、網目として、布帛１を透過するインクが通過する複数の通過孔を有している。
【００２２】
吸収部材２３２は、メッシュ板２３１を通過したインクを吸収し保持するブロック体であり、例えば、綿状パルプ、高分子吸水ポリマー、ウレタンフォーム等の多孔質材料や不織布などで構成されている。吸収部材２３２は、支持部２３から着脱が可能であり、支持部２３にセットした場合に、メッシュ板２３１を通過するインクが余さず吸収されるように、平面視で網部材２３１Ｍと略同じ形状および面積となるブロック体として構成されている。
【００２３】
保持部材２３３は、支持台２３４に固定され、メッシュ板２３１および吸収部材２３２を保持する筐体であり、上面および前面が開放された金属製または樹脂製の箱体で構成されている。
メッシュ板２３１は、そのフレーム２３１Ｆが、保持部材２３３の側面および背面の上端にねじ止めされるなどして保持部材２３３に固定されている。
【００２４】
吸収部材２３２は、メッシュ板２３１と保持部材２３３の底部に挟まれる空間に配置され、開放された保持部材２３３の前面から出し入れが可能である。吸収部材２３２は、前述したように、平面視で網部材２３１Ｍと略同じ形状および面積となるブロック体であり、吸収部材２３２を保持部材２３３の底面に載置した場合、保持部材２３３の側面および背面のそれぞれの内壁によってその位置が規制されることにより、メッシュ板２３１を通過するインクが余さず吸収されるように配置される。すなわち、保持部材２３３は、吸収部材２３２の側面および下面と接触することで吸収部材２３２を支持する。
【００２５】
以上説明したように、プリンター１００は、布帛１を支持する支持面を有する支持部２３と、支持面に支持される布帛１にインクを付与することにより印刷を行う印刷部１０と、を備え、支持部２３は、支持面を構成し布帛１を透過するインクが通過する複数の通過孔を有するメッシュ板２３１と、メッシュ板２３１から通過したインクを保持する吸収部材２３２と、メッシュ板２３１および吸収部材２３２を保持する保持部材２３３と、を備え、吸収部材２３２は、保持部材２３３によって保持され、メッシュ板２３１と保持部材２３３とが固定された状態で着脱可能に設けられている。
【００２６】
なお、吸収部材２３２は、メッシュ板２３１に吊り下げられるように保持される構成であっても良い。このように構成した場合には、保持部材２３３の底部がインクによって汚れることが抑制されるので好都合である。
また、吸収部材２３２が柔らかい素材で構成され、ブロック体形状を保ち難い場合には、メッシュ板２３１に吊り下げられるように保持された上、その底部が保持部材２３３の底部から浮くように、例えば、保持部材２３３の底部に設けられた簀の子によって支持される構成であっても良い。すなわち、吸収部材２３２は、メッシュ板２３１および保持部材２３３によって保持される構成であっても良い。このように構成した場合には、吸収部材２３２と共に保持部材２３３の底部に設けられた簀の子を取り外し、洗浄することで、保持部材２３３の底部がインクによって汚れることが抑制されるので好都合である。
【００２７】
以上述べたように、本実施形態に係る記録装置によれば、以下の効果を得ることができる。
布帛１を支持する支持面を有する支持部２３は、支持面を構成し布帛１を透過するインクが通過する複数の通過孔を有するメッシュ板２３１と、メッシュ板２３１から通過したインクを保持する吸収部材２３２と、メッシュ板２３１および吸収部材２３２を保持する保持部材２３３と、を備えている。そのため、布帛１を透過したインクは、布帛１を支持する支持面に留まることなく通過し、吸収部材２３２に保持されるようになる。その結果、布帛１を支持する支持面がインクによって汚れることが抑制され、引き続く布帛１への印刷において、支持面に置かれる布帛１が汚れてしまうことが抑制される。
【００２８】
また、吸収部材２３２は、メッシュ板２３１および／または保持部材２３３によって保持され、メッシュ板２３１と保持部材２３３とが固定された状態で着脱可能に設けられている。そのため、吸収部材２３２が保持するインクの量が許容量を超える場合や、吸収部材２３２のクリーニングが必要な場合などにおいて、容易に吸収部材２３２だけを取り外し、また容易に、新たな、あるいはクリーニングが完了した吸収部材２３２を装着することができる。
【００２９】
また、吸収部材２３２は、メッシュ板２３１が有する通過孔を通過したインクを吸収する吸収部材であるため、通過孔を通過したインクが再びメッシュ板２３１に戻ることが抑制される。そのため、布帛１を支持する支持面がインクによって汚れることが抑制される。
【００３０】
また、メッシュ板２３１は、支持面を構成する網部材２３１Ｍを備えているため、布帛１を透過したインクは、布帛１を支持する支持面に留まることなく通過し、吸収部材２３２に保持されるようになる。その結果、布帛１を支持する支持面がインクによって汚れることが抑制され、引き続く布帛１への印刷において、支持面に置かれる布帛１が汚れてしまうことが抑制される。
【００３１】
また、保持部材２３３は、吸収部材２３２の側面および下面と接触することで吸収部材２３２を支持するように構成されているため、吸収部材２３２を、支持部２３にセットした場合に、メッシュ板２３１を通過するインクが余さず吸収されるようにセットすることができる。
【００３２】
なお、本願の発明は上述した実施形態に限定されず、上述した実施形態に種々の変更や改良などを加えることが可能である。変形例を以下に述べる。なお、実施形態１と同一の構成部位については、同一の番号を附し、重複する説明は省略する。
【００３３】
（変形例１）
図４は、変形例１に係る支持部２３Ａの構成を示す斜視図である。
実施形態１では、図３に示すように、第２部材が、メッシュ板２３１が有する通過孔を通過したインクを吸収する吸収部材２３２である場合を説明したが、第２部材は、メッシュ板２３１が有する通過孔を通過したインクを吸収して保持するのではなく、液体として回収できるように保持する構成であっても良い。
【００３４】
支持部２３Ａは、メッシュ板２３１、第２部材としてのインク受け皿２３６、保持部材２３３、支持台２３４などから構成されている。なお、図４において、支持台２３４の図示を省略している。
インク受け皿２３６は、通過孔を通過した液体、つまり、メッシュ板２３１の網目を通過したインクを回収する部分であり、支持部２３Ａから着脱が可能である。具体的には、インク受け皿２３６は、図４に示すように、箱体２３７、傾斜板２３８、廃液栓２３９などから構成されている。箱体２３７は、メッシュ板２３１と保持部材２３３の底部に挟まれる空間を埋めるサイズの、天部が開放された箱であり、開放された天部が、メッシュ板２３１を通過したインクを内部に受け止める。
【００３５】
傾斜板２３８および廃液栓２３９は、メッシュ板２３１の網目を通過したインクを回収する回収部を構成している。傾斜板２３８は、矩形の平板であり、その４辺が、箱体２３７の４つの側面の内壁に密着し固定されている。また、傾斜板２３８は、その４辺の最も低い位置が、廃液栓２３９が設けられた位置になるようにＸ−Ｙ平面に対して傾斜して設けられている。傾斜板２３８の傾斜角度は、メッシュ板２３１を通過して付着したインクが、容易に流れる程度の角度であることが好ましい。
廃液栓２３９は、箱体２３７の前面の一方の端部下方に設けられ、傾斜板２３８によって集められたインクを箱体２３７の外部に排出可能に設けられている。
【００３６】
インク受け皿２３６によれば、メッシュ板２３１を通過したインクを１箇所に集めて回収することができる。そのため、メッシュ板２３１を通過したインクが再びメッシュ板２３１に戻ることが抑制される。また、廃液栓２３９を介してインク受け皿２３６からインクを取り除くことによって、インク受け皿２３６はインクを回収し続けることが可能となる。これらにより、布帛１を支持する支持面がインクによって汚れることが抑制され、また、その状態を容易に維持することができる。
【００３７】
以下に、上述した実施形態および変形例から導き出される内容を記載する。
【００３８】
本願の記録装置は、記録媒体を支持する支持面を有する支持部と、前記支持面に支持される前記記録媒体に液体を付与することにより記録を行う記録部と、を備え、前記支持部は、前記支持面を構成し前記記録媒体を透過する前記液体が通過する複数の通過孔を有する第１部材と、前記第１部材から通過した前記液体を保持する第２部材と、前記第１部材を保持する第３部材と、を備え、前記第２部材は、前記第１部材および／または前記第３部材によって保持され、前記第１部材と前記第３部材とが固定された状態で着脱可能に設けられることを特徴とする。
【００３９】
この構成によれば、記録媒体を支持する支持面を有する支持部は、この支持面を構成し記録媒体を透過する液体が通過する複数の通過孔を有する第１部材と、第１部材から通過した液体を保持する第２部材と、第１部材および第２部材を保持する第３部材と、を備えている。そのため、記録媒体を透過した液体は、記録媒体を支持する支持面に留まることなく通過し、第２部材に保持されるようになる。その結果、記録媒体を支持する支持面が液体によって汚れることが抑制され、引き続く記録媒体への記録において、支持面に置かれる記録媒体が汚れてしまうことが抑制される。
また、第２部材は、第１部材および／または第３部材によって保持され、第１部材と第３部材とが固定された状態で着脱可能に設けられている。そのため、第２部材が保持する液体の量が許容量を超える場合や、第２部材のクリーニングが必要な場合などにおいて、容易に第２部材だけを取り外し、また容易に、新たな、あるいはクリーニングが完了した第２部材を装着することができる。
【００４０】
上記の記録装置において、前記第２部材は、前記通過孔を通過した前記液体を吸収する吸収部材であることが好ましい。
【００４１】
この構成によれば、第２部材は、第１部材が有する通過孔を通過した液体を吸収する吸収部材であるため、通過孔を通過した液体が再び第１部材に戻ることが抑制される。その結果、記録媒体を支持する支持面が液体によって汚れることが抑制される。
【００４２】
上記の記録装置において、前記第２部材は、前記通過孔を通過した前記液体を回収する回収部を備えることが好ましい。
【００４３】
この構成によれば、第２部材は、第１部材が有する通過孔を通過した液体を回収する回収部材であるため、通過孔を通過した液体が再び第１部材に戻ることが抑制される。また、回収部材から液体を取り除くことによって、回収部材は液体を回収し続けることが可能となる。これらの結果、記録媒体を支持する支持面が液体によって汚れることが抑制され、また、その状態を容易に維持することができる。
【００４４】
上記の記録装置において、前記第１部材は、前記支持面を構成する網部を備えていることが好ましい。
【００４５】
この構成によれば、第１部材は、支持面を構成する網部を備えているため、記録媒体を透過した液体は、記録媒体を支持する支持面に留まることなく通過し、第２部材に保持されるようになる。その結果、記録媒体を支持する支持面が液体によって汚れることが抑制され、引き続く記録媒体への記録において、支持面に置かれる記録媒体が汚れてしまうことが抑制される。
【００４６】
上記の記録装置において、前記第３部材は、前記第２部材の側面および下面と接触することで前記第２部材を支持することが好ましい。
【００４７】
この構成によれば、第３部材は、第２部材の側面および下面と接触することで第２部材を支持するように構成されているため、第２部材を、支持部にセットした場合に、第１部材を通過する液体が余さず保持されるようにセットすることができる。
【符号の説明】
【００４８】
１…布帛、３…インクカートリッジ、１０…印刷部、１１…ガイド軸、１２…キャリッジ、１３…印刷ヘッド、２０…搬送部、２１…ベース部、２２…搬送レール、２３…支持部、２４…搬送モーター、４０…操作部、６０…制御部、１００…プリンター、２３１…メッシュ板、２３１Ｆ…フレーム、２３１Ｍ…網部材、２３２…吸収部材、２３３…保持部材、２３４…支持台、２３５…枠、２３６…インク受け皿、２３７…箱体、２３８…傾斜板、２３９…廃液栓。
【図１】
2020175509.tif 000003
【図２】
2020175509.tif 000004
【図３】
2020175509.tif 000005
【図４】
2020175509.tif 000006